【手続補正書】
【提出日】平成27年10月1日(2015.10.1)
【手続補正１】
【補正対象書類名】特許請求の範囲
【補正対象項目名】全文
【補正方法】変更
【補正の内容】
【特許請求の範囲】
【請求項１】
電子情報に対応付けられるタグと、ユーザから操作を受け付ける操作端末装置と、電子情報の対応付け権限を有する権限ユーザを管理するサーバ装置と、を備え、
前記操作端末装置は、タグに対する電子情報の対応付け権限の付与要求をユーザから受け付ける際に、当該タグの認証情報を取得して前記付与要求と共に前記サーバ装置へ送信する権限付与要求部を有し、
前記サーバ装置は、各タグの認証情報を記憶する認証情報記憶部と、各タグの権限ユーザを管理する権限ユーザ管理部と、前記操作端末装置から前記付与要求及び認証情報を受信した場合に、前記付与要求に係るタグについて前記権限ユーザ管理部に権限ユーザが登録されておらず、且つ、受信した当該タグの認証情報が前記認証情報記憶部の内容と適合することを条件に、当該操作端末装置のユーザを当該タグの権限ユーザとして前記権限ユーザ管理部に登録する権限付与部と、を有する、
ことを特徴とするタグ管理システム。
【請求項２】
前記タグの認証情報は、当該タグの動作を制御するチップに固有のチップＩＤであり、
前記操作端末装置は、タグに対する電子情報の対応付け権限の付与要求をユーザから受け付ける際に、当該タグからチップＩＤを読み取って前記付与要求と共に前記サーバ装置へ送信する、
ことを特徴とする請求項１に記載のタグ管理システム。
【請求項３】
前記タグの認証情報は、当該タグに対してユーザにより認識可能な態様で予め対応付けられた認証コードであり、
前記操作端末装置は、タグに対する電子情報の対応付け権限の付与要求をユーザから受け付ける際に、ユーザから当該タグの認証コードの入力を受けて前記付与要求と共に前記サーバ装置へ送信する、
ことを特徴とする請求項１又は請求項２に記載のタグ管理システム。
【請求項４】
前記操作端末装置は、タグに対する電子情報の対応付け権限の削除要求をユーザから受け付けて前記サーバ装置へ送信する権限削除要求部を有し、
前記サーバ装置は、前記操作端末装置から前記削除要求を受信した場合に、前記削除要求に係るタグの権限ユーザとして当該操作端末装置のユーザが登録されていることを条件に、当該タグの権限ユーザを前記権限ユーザ管理部から削除する権限削除部を有する、
ことを特徴とする請求項１に記載のタグ管理システム。
【請求項５】
電子情報に対応付けられるタグと、ユーザから操作を受け付ける操作端末装置と、を備えたタグ管理システムに用いられるサーバ装置であって、
前記操作端末装置は、タグに対する電子情報の対応付け権限の付与要求をユーザから受け付ける際に、当該タグの認証情報を取得して前記付与要求と共に前記サーバ装置へ送信する権限付与要求部を有し、
前記サーバ装置は、各タグの認証情報を記憶する認証情報記憶部と、電子情報の対応付け権限を有する権限ユーザを各タグについて管理する権限ユーザ管理部と、前記操作端末装置から前記付与要求及び認証情報を受信した場合に、前記付与要求に係るタグについて前記権限ユーザ管理部に権限ユーザが登録されておらず、且つ、受信した当該タグの認証情報が前記認証情報記憶部の内容と適合することを条件に、当該操作端末装置のユーザを当該タグの権限ユーザとして前記権限ユーザ管理部に登録する権限付与部と、を有する、
ことを特徴とするサーバ装置。
【請求項６】
電子情報に対応付けられるタグと、電子情報の対応付け権限を有する権限ユーザを管理するサーバ装置と、を備えたタグ管理システムに用いられる操作端末装置であって、
前記サーバ装置は、各タグの認証情報を記憶する認証コード記憶部と、各タグの権限ユーザを管理する権限ユーザ管理部と、タグに対する電子情報の対応付け権限の付与要求及び認証情報を前記操作端末装置から受信した場合に、前記付与要求に係るタグについて前記権限ユーザ管理部に権限ユーザが登録されておらず、且つ、受信した当該タグの認証情報が前記認証情報記憶部の内容と適合することを条件に、当該操作端末装置のユーザを当該タグの権限ユーザとして前記権限ユーザ管理部に登録する権限付与部と、を有し、
前記操作端末装置は、タグに対する電子情報の対応付け権限の付与要求をユーザから受け付ける際に、当該タグの認証情報を取得して前記付与要求と共に前記サーバ装置へ送信する権限付与要求部を有する、
ことを特徴とする操作端末装置。
【請求項７】
電子情報に対応付けられるタグと、ユーザから操作を受け付ける操作端末装置と、電子情報の対応付け権限を有する権限ユーザを管理するサーバ装置と、を用いて行うタグ管理方法であって、
前記サーバ装置は、各タグの認証情報を記憶する認証コード記憶部と、各タグの権限ユーザを管理する権限ユーザ管理部と、を有しており、
前記操作端末装置が、タグに対する電子情報の対応付け権限の付与要求をユーザから受け付ける際に、当該タグの認証情報を取得して前前記付与要求と共に前記サーバ装置へ送信し、
前記サーバ装置が、前記操作端末装置から前記付与要求及び認証情報を受信した場合に、前記付与要求に係るタグについて前記権限ユーザ管理部に権限ユーザが登録されておらず、且つ、受信した当該タグの認証情報が前記認証情報記憶部の内容と適合することを条件に、当該操作端末装置のユーザを当該タグの権限ユーザとして前記権限ユーザ管理部に登録する、
ことを特徴とするタグ管理方法。
【請求項８】
提供対象の情報を表す表示情報を表示するディスプレイ装置と、単一のディスプレイ装置に対応付けて設置されるタグと、提供対象の情報のＵＲＬを管理するサーバ装置と、ＵＲＬに基づく提供対象の情報を表示するユーザ端末装置と、を備え、
前記タグは、タグＩＤを前記ユーザ端末装置により読み取り可能に記憶する記憶部を有し、
前記ディスプレイ装置は、前記タグが記憶するタグＩＤに一意に対応付けられたディスプレイＩＤを記憶する記憶部と、提供対象の情報に係る表示情報を表示する表示部と、当該表示した表示情報に対するユーザによる選択を認識する選択認識部と、当該選択の認識に応じてディスプレイＩＤを前記サーバ装置へ送信する送信部と、を有し、
前記ユーザ端末装置は、前記サーバ装置からＵＲＬを受信する受信部と、当該受信したＵＲＬに基づいて提供対象の情報を取得する取得部と、当該取得した提供対象の情報を表示する表示部と、前記タグからタグＩＤを読み取る読取部と、当該読み取ったタグＩＤを前記サーバ装置へ送信する送信部と、を有し、
前記サーバ装置は、ディスプレイＩＤとＵＲＬとを対応付けて記憶する記憶部と、前記ディスプレイ装置からディスプレイＩＤを受信する受信部と、前記ユーザ端末装置からタグＩＤを受信する受信部と、前記ディスプレイ装置からディスプレイＩＤを受信し且つ前記ユーザ端末装置から当該ディスプレイＩＤに一意に対応付けられたタグＩＤを受信したことに応じて、当該ディスプレイＩＤに対応付けられたＵＲＬを前記ユーザ端末装置へ送信する送信部と、を有する、
ことを特徴とする情報提供システム。
【請求項９】
前記ディスプレイ装置には、ディスプレイＩＤとして前記タグの記憶部が記憶するタグＩＤが記憶されており、これによってディスプレイＩＤとタグＩＤは一意に対応付けられている、
ことを特徴とする請求項８に記載の情報提供システム。
【請求項１０】
前記サーバ装置は、ディスプレイＩＤとタグＩＤとを一意に対応付ける情報を記憶しており、当該情報に基づいてディスプレイＩＤとタグＩＤは一意に対応付けられている、
ことを特徴とする請求項８に記載の情報提供システム。
【請求項１１】
前記ディスプレイ装置において、前記表示部は、複数の表示情報を表示し、前記選択認識部は、いずれかの表示情報に対するユーザによる選択を認識し、前記送信部は、当該選択された表示情報のＩＤをディスプレイＩＤに関連付けて前記サーバ装置へ送信し、
前記サーバ装置において、前記記憶部は、ディスプレイＩＤに対し、当該ディスプレイＩＤに該当する前記ディスプレイ装置に表示される各表示情報のＩＤと該表示情報に係る提供対象の情報のＵＲＬとを対応付けて記憶し、前記受信部は、前記ディスプレイ装置からディスプレイＩＤに加えて表示情報のＩＤを受信し、前記送信部は、当該受信した表示情報のＩＤに対応するＵＲＬを前記ユーザ端末装置へ送信する、
ことを特徴とする請求項８乃至請求項１０のいずれか１項に記載の情報提供システム。
【請求項１２】
場所を違えた複数の場所にそれぞれ前記ディスプレイ装置及び前記タグを設置し、前記ディスプレイ装置の各々を回線を介して前記サーバ装置に接続した、
ことを特徴とする請求項８乃至請求項１１のいずれか１項に記載の情報提供システム。
【請求項１３】
前記サーバ装置が、提供対象の情報に係る表示情報を記憶しており、
前記ディスプレイ装置が、提供対象の情報に係る表示情報を前記サーバ装置から取得して表示する、
ことを特徴とする請求項８乃至請求項１２のいずれか１項に記載の情報提供システム。
【請求項１４】
提供対象の情報を表す表示情報を表示するディスプレイ装置と、単一のディスプレイ装置に対応付けて設置されるタグと、ＵＲＬに基づく提供対象の情報を表示するユーザ端末装置と、を備えた情報提供システムに用いるサーバ装置であって、
前記タグは、タグＩＤを前記ユーザ端末装置により読み取り可能に記憶する記憶部を有し、
前記ディスプレイ装置は、前記タグが記憶するタグＩＤに一意に対応付けられたディスプレイＩＤを記憶する記憶部と、提供対象の情報に係る表示情報を表示する表示部と、当該表示した表示情報に対するユーザによる選択を認識する選択認識部と、当該選択の認識に応じてディスプレイＩＤを前記サーバ装置へ送信する送信部と、を有し、
前記ユーザ端末装置は、前記サーバ装置からＵＲＬを受信する受信部と、当該受信したＵＲＬに基づいて提供対象の情報を取得する取得部と、当該取得した提供対象の情報を表示する表示部と、前記タグからタグＩＤを読み取る読取部と、当該読み取ったタグＩＤを前記サーバ装置へ送信する送信部と、を有しており、
前記サーバ装置は、ディスプレイＩＤとＵＲＬとを対応付けて記憶する記憶部と、前記ディスプレイ装置からディスプレイＩＤを受信する受信部と、前記ユーザ端末装置からタグＩＤを受信する受信部と、前記ディスプレイ装置からディスプレイＩＤを受信し且つ前記ユーザ端末装置から当該ディスプレイＩＤに一意に対応付けられたタグＩＤを受信したことに応じて、当該ディスプレイＩＤに対応付けられたＵＲＬを前記ユーザ端末装置へ送信する送信部と、を有する、
ことを特徴とするサーバ装置。
【請求項１５】
提供対象の情報を表す表示情報を表示するディスプレイ装置と、単一のディスプレイ装置に対応付けて設置されるタグと、提供対象の情報のＵＲＬを管理するサーバ装置と、を備えた情報提供システムに用いるユーザ端末装置であって、
前記タグは、タグＩＤを前記ユーザ端末装置により読み取り可能に記憶する記憶部を有し、
前記ディスプレイ装置は、前記タグが記憶するタグＩＤに一意に対応付けられたディスプレイＩＤを記憶する記憶部と、提供対象の情報に係る表示情報を表示する表示部と、当該表示した表示情報に対するユーザによる選択を認識する選択認識部と、当該選択の認識に応じてディスプレイＩＤを前記サーバ装置へ送信する送信部と、を有し、
前記サーバ装置は、ディスプレイＩＤとＵＲＬとを対応付けて記憶する記憶部と、前記ディスプレイ装置からディスプレイＩＤを受信する受信部と、前記ユーザ端末装置からタグＩＤを受信する受信部と、前記ディスプレイ装置からディスプレイＩＤを受信し且つ前記ユーザ端末装置から当該ディスプレイＩＤに一意に対応付けられたタグＩＤを受信したことに応じて、当該ディスプレイＩＤに対応付けられたＵＲＬを前記ユーザ端末装置へ送信する送信部と、を有しており、
前記ユーザ端末装置は、前記サーバ装置からＵＲＬを受信する受信部と、当該受信したＵＲＬに基づいて提供対象の情報を取得する取得部と、当該取得した提供対象の情報を表示する表示部と、前記タグからタグＩＤを読み取る読取部と、当該読み取ったタグＩＤを前記サーバ装置へ送信する送信部と、を有する、
ことを特徴とするユーザ端末装置。
【請求項１６】
提供対象の情報を表す表示情報を表示するディスプレイ装置と、単一のディスプレイ装置に対応付けて設置されるタグと、提供対象の情報のＵＲＬを管理するサーバ装置と、ＵＲＬに基づく提供対象の情報を表示するユーザ端末装置と、を用いて行う情報提供方法であって、
前記タグは、タグＩＤを前記ユーザ端末装置により読み取り可能に記憶しており、
前記ディスプレイ装置は、前記タグが記憶するタグＩＤに一意に対応付けられたディスプレイＩＤを記憶しており、
前記サーバ装置は、ディスプレイＩＤとＵＲＬとを対応付けて記憶しており、
前記ディスプレイ装置が、表示した提供対象の情報に係る表示情報をユーザにより選択されたことに応じて、ディスプレイＩＤを前記サーバ装置へ送信し、
前記ユーザ端末装置が、前記タグから読み取ったタグＩＤを前記サーバ装置へ送信し、
前記サーバ装置が、前記ディスプレイ装置からディスプレイＩＤを受信し且つ前記ユーザ端末装置から当該ディスプレイＩＤに一意に対応付けられたタグＩＤを受信したことに応じて、当該ディスプレイＩＤに対応付けられたＵＲＬを前記ユーザ端末装置へ送信し、
前記ユーザ端末装置が、前記サーバ装置から受信したＵＲＬに基づいて提供対象の情報を取得して表示する、
ことを特徴とする情報提供方法。
【手続補正２】
【補正対象書類名】明細書
【補正対象項目名】発明の名称
【補正方法】変更
【補正の内容】
【発明の名称】タグ管理システム、タグ管理方法、情報提供システム及び情報提供方法、並びにこれらに用いられる各装置